(57)【要約】      （修正有）【課題】ＥメールまたはＳＮＳで商品の購入確認を行うメッセージ決済システム、メッセージ決済装置、メッセージ決済方法及びメッセージ決済プログラムを提供する。【解決手段】本発明のメッセージ決済システムは、商品データを記憶する商品記憶手段と、登録者識別データとオンラインアカウントと決済方法データとを含む登録データを記憶する登録記憶手段と、商品データを端末装置に表示させるように制御する商品画面表示制御手段と、購入商品が決定された場合、オンラインアカウントに基づいて、商品の購入詳細データを含む購入確認通知を端末装置に送信する購入確認通知手段と、購入確認通知に含まれる商品の購入確認表示が選択された場合、商品の支払処理画面を端末装置に表示させるように制御する支払処理画面表示制御手段と、支払承認が入力された場合、商品の支払処理を実行する支払実行手段とを備える。【選択図】図３
2020038578.tif 000002
【特許請求の範囲】
【請求項１】
入出力部を備えた端末装置、および、記憶部と制御部とを備えたメッセージ決済装置を通信可能に接続したメッセージ決済システムであって、
前記記憶部は、
商品の商品データを記憶する商品記憶手段と、
前記端末装置でのオンライン決済の登録者の登録者識別データとオンラインアカウントと決済方法データとを含む登録データを記憶する登録記憶手段と、
を備え、
前記制御部は、
前記商品データを前記端末装置に表示させるように制御する商品画面表示制御手段と、
前記端末装置の前記入出力部を介して購入商品が決定された場合、前記オンラインアカウントに基づいて、前記商品の購入詳細データを含む購入確認通知を前記端末装置に送信する購入確認通知手段と、
前記端末装置の前記入出力部を介して前記購入確認通知に含まれる前記商品の購入確認表示が選択された場合、前記商品の支払処理画面を前記端末装置に表示させるように制御する支払処理画面表示制御手段と、
前記端末装置の前記入出力部を介して支払承認が入力された場合、前記商品の支払処理を実行する支払実行手段と、
を備えたことを特徴とするメッセージ決済システム。
【請求項２】
前記購入確認通知は、
Ｅメール、または、ＳＭＳ、ＭＭＳもしくはＳＮＳの送信メッセージであることを特徴とする請求項１に記載のメッセージ決済システム。
【請求項３】
前記購入確認表示は、
購入確認ボタン、または、購入確認回答用のハイパーリンクであることを特徴とする請求項１または２に記載のメッセージ決済システム。
【請求項４】
前記購入詳細データは、
更に、前記商品の商品説明、および／または、合計金額を含むことを特徴とする請求項１から３のいずれか一つに記載のメッセージ決済システム。
【請求項５】
前記支払実行手段は、
前記端末装置の前記入出力部を介して前記支払処理画面に暗証番号、および／または、前記決済方法データを含む前記支払承認が入力された場合、当該暗証番号と、前記決済方法データに対応する前記登録者識別データとの一致を確認し、前記商品の支払処理を実行することを特徴とする請求項１から４のいずれか一つに記載のメッセージ決済システム。
【請求項６】
前記支払実行手段は、
前記端末装置の前記入出力部を介して前記支払承認となる生体データが入力され、生体認証がされた場合、前記商品の支払処理を実行することを特徴とする請求項１から４のいずれか一つに記載のメッセージ決済システム。
【請求項７】
前記支払実行手段は、
前記端末装置の前記入出力部を介して、前記支払承認となる生体データが入力され、生体認証がされた場合、且つ、前記支払処理画面に暗証番号、および／または、前記決済方法データを含む前記支払承認が入力された場合、当該暗証番号と、前記決済方法データに対応する前記登録者識別データとの一致を確認し、前記商品の支払処理を実行することを特徴とする請求項１から４のいずれか一つに記載のメッセージ決済システム。
【請求項８】
前記決済方法データは、
銀行決済データ、クレジットカード決済データ、携帯キャリア決済データ、電子マネー決済データ、ポイント決済データ、および／または、クーポン決済データであることを特徴とする請求項１から７のいずれか一つに記載のメッセージ決済システム。
【請求項９】
前記商品は、
役務を含むことを特徴とする請求項１から８のいずれか一つに記載のメッセージ決済システム。
【請求項１０】
入出力部を備えた端末装置に通信可能に接続された、記憶部と制御部とを備えたメッセージ決済装置であって、
前記記憶部は、
商品の商品データを記憶する商品記憶手段と、
前記端末装置でのオンライン決済の登録者の登録者識別データとオンラインアカウントと決済方法データとを含む登録データを記憶する登録記憶手段と、
を備え、
前記制御部は、
前記商品データを前記端末装置に表示させるように制御する商品画面表示制御手段と、
前記端末装置の前記入出力部を介して購入商品が決定された場合、前記オンラインアカウントに基づいて、前記商品の購入詳細データを含む購入確認通知を前記端末装置に送信する購入確認通知手段と、
前記端末装置の前記入出力部を介して前記購入確認通知に含まれる前記商品の購入確認表示が選択された場合、前記商品の支払処理画面を前記端末装置に表示させるように制御する支払処理画面表示制御手段と、
前記端末装置の前記入出力部を介して支払承認が入力された場合、前記商品の支払処理を実行する支払実行手段と、
を備えたことを特徴とするメッセージ決済装置。
【請求項１１】
入出力部を備えた端末装置、および、記憶部と制御部とを備えたメッセージ決済装置を通信可能に接続したメッセージ決済システムに実行させるためのメッセージ決済方法であって、
前記記憶部は、
商品の商品データを記憶する商品記憶手段と、
前記端末装置でのオンライン決済の登録者の登録者識別データとオンラインアカウントと決済方法データとを含む登録データを記憶する登録記憶手段と、
を備え、
前記制御部で実行させる、
前記商品データを前記端末装置に表示させるように制御する商品画面表示制御ステップと、
前記端末装置の前記入出力部を介して購入商品が決定された場合、前記オンラインアカウントに基づいて、前記商品の購入詳細データを含む購入確認通知を前記端末装置に送信する購入確認通知ステップと、
前記端末装置の前記入出力部を介して前記購入確認通知に含まれる前記商品の購入確認表示が選択された場合、前記商品の支払処理画面を前記端末装置に表示させるように制御する支払処理画面表示制御ステップと、
前記端末装置の前記入出力部を介して支払承認が入力された場合、前記商品の支払処理を実行する支払実行ステップと、
を含むことを特徴とするメッセージ決済方法。
【請求項１２】
入出力部を備えた端末装置に通信可能に接続された、記憶部と制御部とを備えたメッセージ決済装置に実行させるためのメッセージ決済方法であって、
前記記憶部は、
商品の商品データを記憶する商品記憶手段と、
前記端末装置でのオンライン決済の登録者の登録者識別データとオンラインアカウントと決済方法データとを含む登録データを記憶する登録記憶手段と、
を備え、
前記制御部で実行させる、
前記商品データを前記端末装置に表示させるように制御する商品画面表示制御ステップと、
前記端末装置の前記入出力部を介して購入商品が決定された場合、前記オンラインアカウントに基づいて、前記商品の購入詳細データを含む購入確認通知を前記端末装置に送信する購入確認通知ステップと、
前記端末装置の前記入出力部を介して前記購入確認通知に含まれる前記商品の購入確認表示が選択された場合、前記商品の支払処理画面を前記端末装置に表示させるように制御する支払処理画面表示制御ステップと、
前記端末装置の前記入出力部を介して支払承認が入力された場合、前記商品の支払処理を実行する支払実行ステップと、
を含むことを特徴とするメッセージ決済方法。
【請求項１３】
入出力部を備えた端末装置に通信可能に接続された、記憶部と制御部とを備えたメッセージ決済装置に実行させるためのメッセージ決済プログラムであって、
前記記憶部は、
商品の商品データを記憶する商品記憶手段と、
前記端末装置でのオンライン決済の登録者の登録者識別データとオンラインアカウントと決済方法データとを含む登録データを記憶する登録記憶手段と、
を備え、
前記制御部において、
前記商品データを前記端末装置に表示させるように制御する商品画面表示制御ステップと、
前記端末装置の前記入出力部を介して購入商品が決定された場合、前記オンラインアカウントに基づいて、前記商品の購入詳細データを含む購入確認通知を前記端末装置に送信する購入確認通知ステップと、
前記端末装置の前記入出力部を介して前記購入確認通知に含まれる前記商品の購入確認表示が選択された場合、前記商品の支払処理画面を前記端末装置に表示させるように制御する支払処理画面表示制御ステップと、
前記端末装置の前記入出力部を介して支払承認が入力された場合、前記商品の支払処理を実行する支払実行ステップと、
を実行させるためのメッセージ決済プログラム。
【発明の詳細な説明】
【技術分野】
【０００１】
本発明は、メッセージ決済システム、メッセージ決済装置、メッセージ決済方法、および、メッセージ決済プログラムに関する。
【背景技術】
【０００２】
従来、スマートフォン等のモバイル端末のカメラでバーコードやＱＲコード（登録商標）をスキャンし、決済金額を確認してモバイル端末で登録したクレジットカードや銀行口座から支払うモバイル端末決済が拡大しており、例えば、電気料金等の払込票に印刷されたバーコード等をモバイル端末でスキャンし、モバイル端末に表示された金額を確認し、利用者が設定した支払認証の暗証番号をモバイル端末に入力することで支払いを完了する決済処理を行っていた。また、従来、対面決済での支払いでは、タブレット等の画面に請求金額のＱＲコード（登録商標）として表示し、モバイル端末でスキャンして支払いをしていた。
【発明の概要】
【発明が解決しようとする課題】
【０００３】
しかしながら、従来の決済処理においては、ＥメールまたはＳＮＳで商品の購入確認を行うオンライン決済の仕組みが無かったという課題があった。
【０００４】
本発明は、上記問題点に鑑みてなされたものであって、請求金額をＥメール等で通知し、購入者によりこのＥメール等の金額が確認され、Ｅメール等に記載の金額やＵＲＬ等の支払確認ボタンが押されると、支払処理に移行して、購入者によりスマートフォン等に表示された支払金額が確認され、購入者が設定した支払認証の暗証番号がスマートフォン等に入力されることで支払を完了することができるメッセージ決済システム、メッセージ決済装置、メッセージ決済方法、および、メッセージ決済プログラムを提供することを目的とする。
【課題を解決するための手段】
【０００５】
上述した課題を解決し、目的を達成するために、本発明に係るメッセージ決済システムは、入出力部を備えた端末装置、および、記憶部と制御部とを備えたメッセージ決済装置を通信可能に接続したメッセージ決済システムであって、前記記憶部は、商品の商品データを記憶する商品記憶手段と、前記端末装置でのオンライン決済の登録者の登録者識別データとオンラインアカウントと決済方法データとを含む登録データを記憶する登録記憶手段と、を備え、前記制御部は、前記商品データを前記端末装置に表示させるように制御する商品画面表示制御手段と、前記端末装置の前記入出力部を介して購入商品が決定された場合、前記オンラインアカウントに基づいて、前記商品の購入詳細データを含む購入確認通知を前記端末装置に送信する購入確認通知手段と、前記端末装置の前記入出力部を介して前記購入確認通知に含まれる前記商品の購入確認表示が選択された場合、前記商品の支払処理画面を前記端末装置に表示させるように制御する支払処理画面表示制御手段と、前記端末装置の前記入出力部を介して支払承認が入力された場合、前記商品の支払処理を実行する支払実行手段と、を備えたことを特徴とする。
【０００６】
また、本発明に係るメッセージ決済システムにおいて、前記購入確認通知は、Ｅメール、または、ＳＭＳ、ＭＭＳもしくはＳＮＳの送信メッセージであることを特徴とする。
【０００７】
また、本発明に係るメッセージ決済システムにおいて、前記購入確認表示は、購入確認ボタン、または、購入確認回答用のハイパーリンクであることを特徴とする。
【０００８】
また、本発明に係るメッセージ決済システムにおいて、前記購入詳細データは、更に、前記商品の商品説明、および／または、合計金額を含むことを特徴とする。
【０００９】
また、本発明に係るメッセージ決済システムにおいて、前記支払実行手段は、前記端末装置の前記入出力部を介して前記支払処理画面に暗証番号、および／または、前記決済方法データを含む前記支払承認が入力された場合、当該暗証番号と、前記決済方法データに対応する前記登録者識別データとの一致を確認し、前記商品の支払処理を実行することを特徴とする。
【００１０】
また、本発明に係るメッセージ決済システムにおいて、前記支払実行手段は、前記端末装置の前記入出力部を介して前記支払承認となる生体データが入力され、生体認証がされた場合、前記商品の支払処理を実行することを特徴とする。
【００１１】
また、本発明に係るメッセージ決済システムにおいて、前記支払実行手段は、前記端末装置の前記入出力部を介して、前記支払承認となる生体データが入力され、生体認証がされた場合、且つ、前記支払処理画面に暗証番号、および／または、前記決済方法データを含む前記支払承認が入力された場合、当該暗証番号と、前記決済方法データに対応する前記登録者識別データとの一致を確認し、前記商品の支払処理を実行することを特徴とする。
【００１２】
また、本発明に係るメッセージ決済システムにおいて、前記決済方法データは、銀行決済データ、クレジットカード決済データ、携帯キャリア決済データ、電子マネー決済データ、ポイント決済データ、および／または、クーポン決済データであることを特徴とする。
【００１３】
また、本発明に係るメッセージ決済システムにおいて、前記商品は、役務を含むことを特徴とする。
【００１４】
また、本発明に係るメッセージ決済装置において、入出力部を備えた端末装置に通信可能に接続された、記憶部と制御部とを備えたメッセージ決済装置であって、前記記憶部は、商品の商品データを記憶する商品記憶手段と、前記端末装置でのオンライン決済の登録者の登録者識別データとオンラインアカウントと決済方法データとを含む登録データを記憶する登録記憶手段と、を備え、前記制御部は、前記商品データを前記端末装置に表示させるように制御する商品画面表示制御手段と、前記端末装置の前記入出力部を介して購入商品が決定された場合、前記オンラインアカウントに基づいて、前記商品の購入詳細データを含む購入確認通知を前記端末装置に送信する購入確認通知手段と、前記端末装置の前記入出力部を介して前記購入確認通知に含まれる前記商品の購入確認表示が選択された場合、前記商品の支払処理画面を前記端末装置に表示させるように制御する支払処理画面表示制御手段と、前記端末装置の前記入出力部を介して支払承認が入力された場合、前記商品の支払処理を実行する支払実行手段と、を備えたことを特徴とする。
【００１５】
また、本発明に係るメッセージ決済方法は、入出力部を備えた端末装置、および、記憶部と制御部とを備えたメッセージ決済装置を通信可能に接続したメッセージ決済システムに実行させるためのメッセージ決済方法であって、前記記憶部は、商品の商品データを記憶する商品記憶手段と、前記端末装置でのオンライン決済の登録者の登録者識別データとオンラインアカウントと決済方法データとを含む登録データを記憶する登録記憶手段と、を備え、前記制御部で実行させる、前記商品データを前記端末装置に表示させるように制御する商品画面表示制御ステップと、前記端末装置の前記入出力部を介して購入商品が決定された場合、前記オンラインアカウントに基づいて、前記商品の購入詳細データを含む購入確認通知を前記端末装置に送信する購入確認通知ステップと、前記端末装置の前記入出力部を介して前記購入確認通知に含まれる前記商品の購入確認表示が選択された場合、前記商品の支払処理画面を前記端末装置に表示させるように制御する支払処理画面表示制御ステップと、前記端末装置の前記入出力部を介して支払承認が入力された場合、前記商品の支払処理を実行する支払実行ステップと、を含むことを特徴とする。
【００１６】
また、本発明に係るメッセージ決済方法は、入出力部を備えた端末装置に通信可能に接続された、記憶部と制御部とを備えたメッセージ決済装置に実行させるためのメッセージ決済方法であって、前記記憶部は、商品の商品データを記憶する商品記憶手段と、前記端末装置でのオンライン決済の登録者の登録者識別データとオンラインアカウントと決済方法データとを含む登録データを記憶する登録記憶手段と、を備え、前記制御部で実行させる、前記商品データを前記端末装置に表示させるように制御する商品画面表示制御ステップと、前記端末装置の前記入出力部を介して購入商品が決定された場合、前記オンラインアカウントに基づいて、前記商品の購入詳細データを含む購入確認通知を前記端末装置に送信する購入確認通知ステップと、前記端末装置の前記入出力部を介して前記購入確認通知に含まれる前記商品の購入確認表示が選択された場合、前記商品の支払処理画面を前記端末装置に表示させるように制御する支払処理画面表示制御ステップと、前記端末装置の前記入出力部を介して支払承認が入力された場合、前記商品の支払処理を実行する支払実行ステップと、を含むことを特徴とする。
【００１７】
また、本発明に係るメッセージ決済プログラムは、入出力部を備えた端末装置に通信可能に接続された、記憶部と制御部とを備えたメッセージ決済装置に実行させるためのメッセージ決済プログラムであって、前記記憶部は、商品の商品データを記憶する商品記憶手段と、前記端末装置でのオンライン決済の登録者の登録者識別データとオンラインアカウントと決済方法データとを含む登録データを記憶する登録記憶手段と、を備え、前記制御部において、前記商品データを前記端末装置に表示させるように制御する商品画面表示制御ステップと、前記端末装置の前記入出力部を介して購入商品が決定された場合、前記オンラインアカウントに基づいて、前記商品の購入詳細データを含む購入確認通知を前記端末装置に送信する購入確認通知ステップと、前記端末装置の前記入出力部を介して前記購入確認通知に含まれる前記商品の購入確認表示が選択された場合、前記商品の支払処理画面を前記端末装置に表示させるように制御する支払処理画面表示制御ステップと、前記端末装置の前記入出力部を介して支払承認が入力された場合、前記商品の支払処理を実行する支払実行ステップと、を実行させることを特徴とする。
【発明の効果】
【００１８】
本発明によれば、画面確認および暗証入力のみで銀行口座からの振替やクレジットカードでの支払処理ができるという効果を奏する。また、本発明によれば、店舗側は支払いと同時に入金確認ができるという効果を奏する。
【図面の簡単な説明】
【００１９】
【図１】図１は、本実施形態におけるオンラインショッピングの一例を示す図である。
【図２】図２は、本実施形態におけるオンライン決済処理の一例を示すフロー図である。
【図３】図３は、本実施形態におけるメッセージ決済システムの構成の一例を示すブロック図である。
【図４】図４は、本実施形態におけるメッセージ決済システムの処理の一例を示すフローチャートである。
【図５】図５は、本実施形態におけるメッセージ決済処理の一例を示すフロー図である。
【図６】図６は、本実施形態におけるメッセージ決済処理の一例を示すフロー図である。
【発明を実施するための形態】
【００２０】
本発明の実施形態を図面に基づいて詳細に説明する。なお、本発明は本実施形態により限定されるものではない。
【００２１】
［１．概要］
まず、図１および図２を参照して、本発明の概要を説明する。図１は、本実施形態におけるオンラインショッピングの一例を示す図である。図２は、本実施形態におけるオンライン決済処理の一例を示すフロー図である。
【００２２】
図１に示すように、従来、ネットショッピングサイトでは、利用者が購入したい商品を選んでカートに入れ、支払金額が決定した時点で支払画面に進んで支払処理をしていた。ここで、支払処理としては、クレジットカード決済、銀行振込、コンビニ決済、および、代引き等の支払方法があり、利用者は支払方法を選んで、それぞれの支払い方法に従って、カード番号、暗証番号、振込先口座番号または口座番号等のデータをオンライン上で入力したり、コンビニエンスストアまたは銀行ＡＴＭ等に直接赴いたりする必要があった。また、従来、店舗側は、様々な入金に対応した入金確認を行い、即時の確認または数時間から数日を要する入金確認を実施する必要もあった。
【００２３】
そこで、図１に示すように、本実施形態においては、ＥメールまたはＳＮＳで購入確認、および、支払画面への暗証番号入力だけでもクレジットカード等による支払処理ができるようにしている。
【００２４】
すなわち、図２に示すように、本実施形態においては、ユーザがオンラインショッピングにて、購入商品を決定して購入商品が確定すると、ユーザにメールまたはチャットで購入確認を送信し（ステップＳＡ−１）、ユーザによりメールまたはチャットの請求金額の確認ボタンが押された場合（ステップＳＡ−２）、スマートフォンの画面に購入金額が表示され、購入金額をユーザが確認して（ステップＳＡ−３）、ユーザが暗証番号を入力し、支払承認することで（ステップＳＡ−４）、支払が完了するようにしている（ステップＳＡ−５）。
【００２５】
［２．メッセージ決済システムの構成］
本実施形態に係る端末装置１００、および、サーバ（メッセージ決済装置）２００を通信可能に接続したメッセージ決済システムの構成の一例について、図３を参照して説明する。図３は、本実施形態におけるメッセージ決済システムの構成の一例を示すブロック図である。
【００２６】
［端末装置１００の構成］
図３において、端末装置１００は、携帯電話、スマートフォン、タブレット端末、ＰＨＳもしくはＰＤＡ（Ｐｅｒｓｏｎａｌ  Ｄｉｇｉｔａｌ  Ａｓｓｉｓｔａｎｔｓ）等の携帯端末、または、一般に市販されるデスクトップ型もしくはノート型のパーソナルコンピュータ等の情報処理装置等であってもよい。
【００２７】
端末装置１００は、制御部１０２と記憶部１０６と撮影部１１０と入出力部１１２とを備えており、端末装置１００が備えている各部は、任意の通信路を介して通信可能に接続されている。
【００２８】
入出力部１１２は、データの入出力（Ｉ／Ｏ）を行う機能を有していてもよい。ここで、入出力部１１２は、例えば、キー入力部、タッチパネル、コントロールパッド（例えば、タッチパッド、および、ゲームパッド等）、マウス、キーボード、および、マイク等であってもよい。また、入出力部１１２は、アプリケーション等の（入出力）情報を表示する表示部（例えば、液晶または有機ＥＬ等から構成されるディスプレイ、モニタ、および、タッチパネル等）であってもよい。また、入出力部１１２は、音声情報を音声として出力する音声出力部（例えば、スピーカ等）であってもよい。
【００２９】
撮影部１１０は、ＣＣＤイメージセンサまたはＣＭＯＳイメージセンサ等の撮像素子で撮影した画像（静止画および動画）をデジタルデータとして記録するカメラ等であってもよい。
【００３０】
端末装置１００は、他の装置とネットワーク３００を介して通信可能に接続し、他の装置とデータを通信する機能を有する。ここで、ネットワーク３００は、端末装置１００およびサーバ２００を相互に通信可能に接続する機能を有し、例えば、インターネットおよび／またはＬＡＮ（Ｌｏｃａｌ  Ａｒｅａ  Ｎｅｔｗｏｒｋ）等である。
【００３１】
記憶部１０６には、各種のデータベース、テーブル、および／または、ファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、および／または、ＳＳＤ（Ｓｏｌｉｄ  Ｓｔａｔｅ  Ｄｒｉｖｅ）等を用いることができる。記憶部１０６は、撮影部１１０にて記録された画像データ、ネットワーク３００を介して受信されたデータ、および／または、入出力部１１２を介して入力された入力データ等を記憶していてもよい。
【００３２】
制御部１０２は、端末装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。例えば、制御部１０２は、撮影部１１０にて記録された画像データの取得および画像データに含まれる文字データ（ＵＲＬ等）のデータ読取、ネットワーク３００を介したデータ送受信、入出力部１１２を介して入力された入力データの取得、ならびに、出力部１１４でのデータ（画面）表示等の各処理を実行してもよい。
【００３３】
［サーバ２００の構成］
図３において、サーバ２００は、パーソナルコンピュータ、または、ワークステーション等の情報処理装置であってもよい。サーバ２００は、制御部２０２と記憶部２０６とを備えており、サーバ２００が備えている各部は、任意の通信路を介して通信可能に接続されている。サーバ２００は、ネットワーク３００を介して、端末装置１００と相互に通信可能に接続されている。
【００３４】
記憶部２０６には、各種のデータベース、テーブル、および／または、ファイルなどが格納される。記憶部２０６には、ＯＳと協働してＣＰＵに命令を与えて各種処理を行うためのコンピュータプログラムが記録される。記憶部２０６は、ＲＡＭ、ＲＯＭ、ＨＤＤ、および／または、ＳＳＤ等のストレージ手段であり、各種のデータベースやテーブルを格納する。記憶部２０６は、機能概念的に、商品データベース２０６ａと、登録データベース２０６ｂとを備えている。
【００３５】
商品データベース２０６ａは、商品の商品データを記憶する。ここで、商品は、役務（サービス）を含んでいてもよい。また、商品データは、商品名、商品単価、商品説明、商品コード、商品画像データ、在庫データ（店舗在庫データおよび／またはメーカ在庫データ等）、製造元データおよび／または販売元データ等を含んでいてもよい。
【００３６】
登録データベース（オンライン決済アプリ登録データベース）２０６ｂは、端末装置１００でのオンライン決済の登録者の登録者識別データとオンラインアカウントと決済方法データとを含む登録データを記憶する。ここで、決済方法データは、銀行決済データ、クレジットカード決済データ、携帯キャリア決済データ、電子マネー決済データ、ポイント決済データ、および／または、クーポン決済データ等であってもよい。このように、本実施形態においては、ポイント、電子マネーもしくは地域通貨等の個人アカウントデータまたはクーポンデータ等の各種支払方法を決済方法（決済手段）として登録してもよい。また、オンラインアカウントは、Ｅメールアカウント、電話番号、および／または、ＳＮＳアカウント等であってもよい。また、登録者識別データは、登録者名、登録者住所、登録者電話番号、登録暗証番号、登録者端末識別データ（ＭＡＣアドレス等）、および／または、登録者Ｅメールアドレス等を含んでいてもよい。また、銀行決済データは、口座番号、口座名義、店番および／または預金種別コード等を含んでいてもよい。また、クレジットカード決済データは、カード番号、セキュリティコードおよび／または有効期限データ等を含んでいてもよい。
【００３７】
制御部２０２は、サーバ２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、商品画面表示制御部２０２ａと、購入確認通知部２０２ｂと、支払処理画面表示制御部２０２ｃと、支払実行部２０２ｄとを備えている。
【００３８】
商品画面表示制御部２０２ａは、商品データを端末装置１００に表示させるように制御する。ここで、商品画面表示制御部２０２ａは、商品データに基づいて、商品のショッピングサイト画面を端末装置１００に表示させるように制御してもよい。
【００３９】
購入確認通知部２０２ｂは、オンラインアカウントに基づいて、商品の購入詳細データを含む購入確認通知を端末装置１００に送信する。ここで、購入確認通知部２０２ｂは、端末装置１００の入出力部１１２を介して購入商品が決定された場合、オンラインアカウントに基づいて、商品の購入詳細データを含む購入確認通知を端末装置１００に送信してもよい。また、購入確認通知部２０２ｂは、端末装置１００の入出力部１１２を介してショッピングサイト画面にて購入商品が選択された場合、オンラインアカウントに基づいて、商品の購入詳細データを含む購入確認通知を端末装置１００に送信してもよい。また、購入確認通知は、Ｅメール（電子メール）、または、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）もしくはＳＮＳ（Ｓｏｃｉａｌ  Ｎｅｔｗｏｒｋｉｎｇ  Ｓｅｒｖｉｃｅ）の送信メッセージであってもよい。また、購入確認通知部２０２ｂは、商品の変更可能な購入個数を含む購入詳細データを含む購入確認画面を端末装置１００に表示させるように制御してもよい。また、購入詳細データは、商品の商品説明、および／または、合計金額等を含んでいてもよい。
【００４０】
支払処理画面表示制御部２０２ｃは、商品の支払処理画面を端末装置１００に表示させるように制御する。ここで、支払処理画面表示制御部２０２ｃは、端末装置１００の入出力部１１２を介して購入確認通知に含まれる商品の購入確認表示が選択された場合、商品の支払処理画面を端末装置１００に表示させるように制御してもよい。また、購入確認表示は、購入確認ボタン、または、購入確認回答用のハイパーリンク等であってもよい。
【００４１】
支払実行部２０２ｄは、商品の支払処理を実行する。ここで、支払実行部２０２ｄは、端末装置１００の入出力部１１２を介して支払承認が入力された場合、商品の支払処理を実行してもよい。また、支払実行部２０２ｄは、端末装置１００の入出力部１１２を介して支払処理画面に暗証番号、および／または、決済方法データを含む支払承認が入力された場合、当該暗証番号と、決済方法データに対応する登録者識別データとの一致を確認し、商品の支払処理を実行してもよい。また、支払実行部２０２ｄは、端末装置１００の入出力部１１２を介して支払承認となる生体データが入力され、生体認証がされた場合、商品の支払処理を実行してもよい。すなわち、本実施形態においては、端末装置１００における生体認証を、暗証番号確認処理の代替手段として設定可能にしてもよい。また、支払実行部２０２ｄは、端末装置１００の入出力部１１２を介して、支払承認となる生体データが入力され、生体認証がされた場合、且つ、支払処理画面に暗証番号、および／または、決済方法データを含む支払承認が入力された場合、当該暗証番号と、決済方法データに対応する登録者識別データとの一致を確認し、商品の支払処理を実行してもよい。
【００４２】
［３．メッセージ決済システムの処理］
本実施形態に係るメッセージ決済システムの処理の一例について、図４から図６を参照して説明する。図４は、本実施形態におけるメッセージ決済システムの処理の一例を示すフローチャートである。
【００４３】
図４に示すように、オンライン決済アプリ登録済のユーザにより端末装置（スマートフォン）１００の入出力部１１２を介して商品検索画面にて商品検索がされた場合、サーバ２００の商品画面表示制御部２０２ａは、商品データベース２０６ａに記憶された商品データに基づいて、購入候補となる商品のショッピングサイト画面をスマートフォン１００の入出力部１１２に表示させるように制御する（ステップＳＢ−１）。
【００４４】
そして、サーバ２００の購入確認通知部２０２ｂは、端末装置１００の入出力部１１２を介してショッピングサイト画面にて購入候補から購入商品が選択されたか否かを判定する（ステップＳＢ−２）。
【００４５】
そして、サーバ２００の購入確認通知部２０２ｂは、ショッピングサイト画面にて購入候補から購入商品が選択されなかったと判定した場合（ステップＳＢ−２：Ｎｏ）、処理を終了する。
【００４６】
一方、サーバ２００の購入確認通知部２０２ｂは、ショッピングサイト画面にて購入候補から購入商品が選択されたと判定した場合（ステップＳＢ−２：Ｙｅｓ）、処理をステップＳＢ−３に移行させる。
【００４７】
そして、サーバ２００の購入確認通知部２０２ｂは、オンライン決済アプリ登録データベース２０６ｂに記憶されたユーザの登録データに含まれるオンラインアカウントに基づいて、商品の購入詳細データを含む購入確認通知（電子メールまたはＳＮＳの送信メッセージ）をスマートフォン１００に送信する（ステップＳＢ−３）。
【００４８】
そして、サーバ２００の支払処理画面表示制御部２０２ｃは、ユーザによりスマートフォン１００の入出力部１１２に購入確認通知が開封され、入出力部１１２を介して購入確認通知に含まれる商品の購入確認ボタンが選択されたか否かを判定する（ステップＳＢ−４）。
【００４９】
そして、サーバ２００の支払処理画面表示制御部２０２ｃは、ユーザにより購入確認通知に含まれる商品の購入確認ボタンが選択されなかったと判定した場合（ステップＳＢ−４：Ｎｏ）、処理を終了する。
【００５０】
一方、サーバ２００の支払処理画面表示制御部２０２ｃは、ユーザにより購入確認通知に含まれる商品の購入確認ボタンが選択されたと判定した場合（ステップＳＢ−４：Ｙｅｓ）、処理をステップＳＢ−５に移行させる。
【００５１】
そして、サーバ２００の支払処理画面表示制御部２０２ｃは、商品の支払処理画面をスマートフォン１００の入出力部１１２に表示させるように制御する（ステップＳＢ−５）。
【００５２】
そして、サーバ２００の支払処理画面表示制御部２０２ｃは、ユーザによりスマートフォン１００の入出力部１１２を介して支払処理画面に暗証番号、および、クレジットカード決済データを含む支払承認が入力されたか否かを判定する（ステップＳＢ−６）。
【００５３】
そして、サーバ２００の支払処理画面表示制御部２０２ｃは、ユーザにより支払処理画面に支払承認が入力されなかったと判定した場合（ステップＳＢ−６：Ｎｏ）、処理を終了する。
【００５４】
一方、サーバ２００の支払処理画面表示制御部２０２ｃは、ユーザにより支払処理画面に支払承認が入力されたと判定した場合（ステップＳＢ−６：Ｙｅｓ）、処理をステップＳＢ−７に移行させる。
【００５５】
そして、サーバ２００の支払実行部２０２ｄは、ユーザにより支払処理画面に入力された支払承認に含まれる暗証番号と、支払承認に含まれるクレジットカード決済データに対応する、オンライン決済アプリ登録データベース２０６ｂに記憶された登録暗証番号との一致を確認した場合、商品の支払処理を実行し（ステップＳＢ−７）、処理を終了する。
【００５６】
ここで、図５および図６を参照して、本実施形態におけるメッセージ決済処理の具体例について説明する。図５および図６は、本実施形態におけるメッセージ決済処理の一例を示すフロー図である。
【００５７】
［メッセージ決済処理（その１）］
図５に示すように、本実施形態においては、ユーザがスマートフォン１００を使ってモバイルショッピングサイトにて商品検索を行い、購入商品を選択した場合（ステップＳＣ−１）、商品の購入詳細データ（「商品Ａ９００円」）および購入確認ラジオボタンを含む電子メールをスマートフォン１００に送信し、ユーザに電子メールを開封させ、商品および商品購入に伴う請求金額を確認させて買うか止めるかの判断をさせる（ステップＳＣ−２）。
【００５８】
そして、本実施形態においては、ユーザにより電子メールに含まれる商品の購入確認ラジオボタン（「購入する」）が選択されると、支払承認に係る暗証番号を入力するための支払処理画面を表示し、ユーザにより暗証番号が入力されると（ステップＳＣ−３）、支払を完了する（ステップＳＣ−４）。このように、本実施形態においては、モバイルショッピングでのＥメールのやり取りで支払金額を確定させ、支払い請求をしてもよい。
【００５９】
［メッセージ決済処理（その２）］
図６に示すように、本実施形態においては、ユーザがスマートフォン１００を使ってモバイルショッピングサイトにて商品検索を行い、購入商品を選択した場合（ステップＳＤ−１）、商品の購入詳細データ（「商品Ａ９００円」）および購入確認ボタンを含むＳＮＳの送信メッセージをスマートフォン１００のＳＮＳアプリケーションに送信し、ユーザに送信メッセージを開封させ、商品および商品購入に伴う請求金額を確認させて買うか止めるかの判断をさせる（ステップＳＤ−２）。
【００６０】
そして、本実施形態においては、ユーザにより送信メッセージに含まれる商品の購入確認ボタン（「購入する」）が選択されると、支払承認に係る暗証番号を入力するための支払処理画面を表示し、ユーザにより暗証番号が入力されると（ステップＳＤ−３）、支払を完了する（ステップＳＤ−４）。このように、本実施形態においては、モバイルショッピングでのチャットのやり取りで支払金額を確定させ、支払い請求をしてもよい。
【００６１】
このように、本実施形態においては、ショッピングサイトでの購入された商品についてメール決済を実行する一例を示しているが、一般の請求メールに対する決済、または、個人のメール請求による決済等のあらゆる請求に対してメール決済を利用してもよい。
【００６２】
［４．他の実施形態］
本発明は、上述した実施形態以外にも、特許請求の範囲に記載した技術的思想の範囲内において種々の異なる実施形態にて実施されてよいものである。
【００６３】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６４】
また、本明細書中や図面中で示した処理手順、制御手順、具体的名称、各処理の登録データや検索条件等のパラメータを含む情報、画面例、データベース構成については、特記する場合を除いて任意に変更することができる。
【００６５】
また、端末装置１００、サーバ２００および金融機関システム６００に関して、図示の各構成要素は機能概念的なものであり、必ずしも物理的に図示の如く構成されていることを要しない。
【００６６】
例えば、端末装置１００およびサーバ２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて端末装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６７】
また、このコンピュータプログラムは、端末装置１００およびサーバ２００に対して任意のネットワーク３００を介して接続されたアプリケーションプログラムサーバに記憶されていてもよく、必要に応じてその全部または一部をダウンロードすることも可能である。
【００６８】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００６９】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、本実施形態に示した各装置において記録媒体を読み取るための具体的な構成および読み取り手順ならびに読み取り後のインストール手順等については、周知の構成や手順を用いることができる。
【００７０】
記憶部１０６および記憶部２０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７１】
また、端末装置１００およびサーバ２００は、既知のパーソナルコンピュータまたはワークステーション等の情報処理装置として構成してもよく、また、任意の周辺装置が接続された当該情報処理装置として構成してもよい。また、端末装置１００およびサーバ２００は、当該装置に本実施形態で説明した処理を実現させるソフトウェア（プログラムまたはデータ等を含む）を実装することにより実現してもよい。
【００７２】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７３】
本発明は、モバイル決済業務を行う金融業界において有用である。
【符号の説明】
【００７４】
１００  端末装置
１０２  制御部
１０６  記憶部
１１０  撮影部
１１２  入出力部
２００  サーバ
２０２  制御部
２０２ａ  商品画面表示制御部
２０２ｂ  購入確認通知部
２０２ｃ  支払処理画面表示制御部
２０２ｄ  支払実行部
２０６  記憶部
２０６ａ  商品データベース
２０６ｂ  登録データベース
３００  ネットワーク
【図１】
2020038578.tif 000003
【図２】
2020038578.tif 000004
【図３】
2020038578.tif 000005
【図４】
2020038578.tif 000006
【図５】
2020038578.tif 000007
【図６】
2020038578.tif 000008